(57)【特許請求の範囲】
【請求項１】
光信号伝送を行う親局と複数の子局との間に中継器を設け、
前記親局は、特定子局の状態を監視する監視情報を当該子局に送信する親局であり、
前記子局は、前記親局から前記監視情報を受信すると、当該子局の状態を示す子局状態情報を前記中継器に送信する子局であり、
前記中継器は、前記子局から受信した子局状態情報と前記中継器の状態を示す中継器状態情報とを合成して前記親局に送信する中継器であることを特徴とする中継器接続型システム。
【請求項２】
親局と、中継器と、複数の子局との間を光信号伝送する中継器接続型システムであって、
前記親局は、特定子局の状態を監視する監視情報の信号を当該子局に向けて出力すると共に、入力される子局状態情報と中継器状態情報の信号から子局及び中継局の状態を監視する親局制御手段と、前記監視情報の信号を光信号に変換して前記中継器に送信する電気／光信号変換手段と、前記中継器から送信される子局及び中継器の状態情報を受信して電気信号に変換して前記親局制御手段に出力する光／電気信号変換手段とを備え、
前記中継器は、前記親局から受信した監視情報を複数の子局のいずれかに分配する光信号分配手段と、前記子局から送信された子局状態情報を受信して電気信号に変換する複数の光／電気信号変換手段と、前記複数の光／電気信号変換手段から入力される信号を合成する光信号合成手段と、前記光信号合成手段で合成された子局状態情報の信号に当該中継器の状態を示す中継器状態情報の信号を合成する中継器制御手段と、前記中継器制御手段で合成された子局及び中継器の状態情報の信号を光信号に変換する電気／光信号変換手段とを備え、
前記子局は、光信号分配手段から送信された監視情報を電気信号に変換する光／電気信号変換手段と、前記光／電気信号変換手段で変換された監視情報の信号を入力し、当該子局の状態を示す子局状態情報の信号を出力する子局制御手段と、前記子局状態情報の信号を光信号に変換する電気／光信号変換手段とを備えることを特徴とする中継器接続型システム。
【発明の詳細な説明】
【０００１】
【発明の属する技術分野】
本発明は、光ＲＦ（Radio Frequency ：無線周波数）変換伝送における中継器接続型システムに係り、特に、保守、点検のコストを抑え、安定したシステム運用を実現する中継器接続型システムに関する。
【０００２】
【従来の技術】
従来の光ＲＦ変換伝送におけるスター接続型システムについて図４を用いて説明する。図４は、従来のスター接続型システムの構成ブロック図である。
従来のスター接続型システムは、図４に示すように、ＲＦ基地局（ＢＴＳ）１と、ＲＦ親局（Ｍ／Ｕ）２と、複数のＲＦ子局（Ｓ／Ｕ）３と、Ｓ／Ｕ３への光信号の分配及びＳ／Ｕ３からの光信号の合成を行う光スターカプラ４とから構成されている。
【０００３】
ＢＴＳ１とＭ／Ｕ２とは２本の同軸ケーブルで結ばれており、電気信号による通信が行われる。
Ｍ／Ｕ２と各Ｓ／Ｕ３とは光スターカプラ４を介して各々２本の光ケーブルで結ばれており光信号による通信が行われる。
ＢＴＳ１とＭ／Ｕ２を結ぶ２本の同軸ケーブル、Ｍ／Ｕ２と各Ｓ／Ｕ３とを結ぶ２本の光ケーブルはそれぞれ、ＢＴＳ１から各Ｓ／Ｕ３の方向へ光信号を送信するための下り方向送信ケーブルと、各Ｓ／Ｕ３からＭ／Ｕ２の方向へ光信号を送信するための上り方向送信ケーブルとして用いられる。
【０００４】
各Ｓ／Ｕ３の運用状態の管理や制御を行うため、上記システムではＭ／Ｕ２と各Ｓ／Ｕ３の間で光伝走路を用いて状態監視のための通信を行っている。これを親子通信と呼ぶ。上記システムでは、親子通信を行うにあたり伝走路が半２重のため、通常Ｍ／Ｕ２から特定のＳ／Ｕ３の状態監視の為の通信を行うポーリング方式を採用している。
【０００５】
次に、従来の親子通信を行うためのＭ／Ｕ２とＳ／Ｕ３との構成を図５を用いて説明する。図５は、従来の親子通信を実現するためのＭ／Ｕ２とＳ／Ｕ３の構成ブロック図である。
図５に示すように、従来の親子通信を実現するためのＭ／Ｕ２は、マイコン２１と、複数のＥ／Ｏ変換器２２と、複数のＯ／Ｅ変換器２３と、信号分配器２４と、光信号合成器２５とを備えている。
また、Ｓ／Ｕ３は、図５に示すように、マイコン３１と、Ｏ／Ｅ変換器３２と、Ｅ／Ｏ変換器３３とを備えている。
【０００６】
尚、図５の複数のＥ／Ｏ変換器２２と、複数のＯ／Ｅ変換器２３と、信号分配器２４と、光信号合成器２５とが図４における光スターカプラ４に相当する部分であり、従って、図５では図４の光スターカプラ４をＭ／Ｕ２内に内蔵した構成となっている。
【０００７】
図５における各部を具体的に説明する。
マイコン２１は、親子通信の制御を司るマイクロコンピュータであり、親子通信に関する制御信号を信号分配器２４に出力すると共に、光信号合成器２５からの信号を入力して親子通信に関する処理を行う。
【０００８】
信号分配器２４は、マイコン２１から出力された電気信号を各Ｓ／Ｕ３に分配する。
Ｅ／Ｏ変換器２２は、信号分配器２４において分配された電気信号を下り光信号に変換して各Ｓ／Ｕ３に送信する。
Ｏ／Ｅ変換器２３は、各Ｓ／Ｕ３から送信された上り光信号を電気信号に変換して光信号合成器２５に出力する。
光信号合成器２５は、各々のＥ／Ｏ変換器２３において変換された電気信号を合成してマイコン２１に出力する。
【０００９】
また、各Ｓ／Ｕ３のＯ／Ｅ変換器３２は、Ｍ／Ｕ２から送信された下り光信号を電気信号に変換してマイコン３１に出力する。
マイコン３１は、Ｍ／Ｕ２からの制御信号に基づいてＳ／Ｕ３内を制御し、それに対応する信号をするＥ／Ｏ変換器３３に出力する。
Ｅ／Ｏ変換器３３は、マイコン３１から出力された電気信号を上り光信号に変換してＭ／Ｕ２に向けて送信する。
尚、Ｍ／Ｕ２に接続している他のすべてのＳ／Ｕ３についても、上記と同一の構成となっている。
【００１０】
次に、図５を用いて、従来のポーリング方式による親子通信の動作について説明する。
Ｍ／Ｕ２は、各Ｓ／Ｕ３に対して行う監視制御命令をマイコン２１において設定し、電気信号として信号分配器２４に送信する。
監視制御命令の信号は、信号分配器２４において各Ｓ／Ｕ３に対応したＥ／Ｏ変換器２２に分配された後、Ｅ／Ｏ変換器２２で光信号に変換され、光ケーブルを通って各Ｓ／Ｕ３に送信される。
【００１１】
Ｓ／Ｕ３では、監視制御命令の信号がまずＯ／Ｅ変換器３２によって電気信号に変換され、マイコン３１に出力される。
マイコン３１は、入力した監視制御命令に基づいて、Ｓ／Ｕ３の状態を監視し、その監視結果である子局状態情報を電気信号としてＥ／Ｏ変換器３３に出力する。
ここで子局状態情報には、どのＳ／Ｕ３から送信されたかが判別できるよう、子局状態情報が送信されたＳ／Ｕ３の情報が含まれている。
子局状態情報は、Ｅ／Ｏ変換器３３において光信号に変換され、光ケーブルを通ってＭ／Ｕ２に送信される。
【００１２】
Ｍ／Ｕ２では、子局状態情報がＯ／Ｅ変換器２３によって電気信号に変換され、他のＳ／Ｕ２から送信された子局状態情報と共に信号合成器２５によって合成され、マイコン２１に出力される。
マイコン２１は、入力した子局状態情報を基に、各Ｓ／Ｕ３の運用状況や故障の有無を確認することが可能である。
以上が従来のポーリング方式による親子通信の動作である。
【００１３】
【発明が解決しようとする課題】
しかしながら、図４に示されるような従来のスター接続型システムでは、Ｍ／Ｕ２と各Ｓ／Ｕ３が離れている場合には、より長い光ケーブルを相当数必要とするため、光ケーブルの施設に多大な時間、労力及び費用を要するという問題点があった。
【００１４】
本発明は上記実情に鑑みて為されたもので、中継器を設置することで光ケーブルの施設を容易にし、更に保守・点検コストを低減し、安定した運用を行うことができる中継器接続型システムを提供することを目的とする。
【００１５】
【課題を解決するための手段】
上記従来例の問題点を解決するための本発明は、親局と、中継器と、複数の子局との間を光信号伝送する中継器接続型システムであって、親局は、特定子局の状態を監視する監視情報の信号を当該子局に向けて出力すると共に、入力される子局状態情報と中継器状態情報の信号から子局及び中継局の状態を監視する親局制御手段と、監視情報の信号を光信号に変換して中継器に送信する電気／光信号変換手段と、中継器から送信される子局及び中継器の状態情報を受信して電気信号に変換して親局制御手段に出力する光／電気信号変換手段とを備え、中継器は、親局から受信した監視情報を複数の子局のいずれかに分配する光信号分配手段と、子局から送信された子局状態情報を受信して電気信号に変換する複数の光／電気信号変換手段と、複数の光／電気信号変換手段から入力される信号を合成する光信号合成手段と、光信号合成手段で合成された子局状態情報の信号に当該中継器の状態を示す中継器状態情報の信号を合成する中継器制御手段と、中継器制御手段で合成された子局及び中継器の状態情報の信号を光信号に変換する電気／光信号変換手段とを備え、子局は、光信号分配手段から送信された監視情報を電気信号に変換する光／電気信号変換手段と、光／電気信号変換手段で変換された監視情報の信号を入力し、当該子局の状態を示す子局状態情報の信号を出力する子局制御手段と、子局状態情報の信号を光信号に変換する電気／光信号変換手段とを備えることを特徴とする中継器接続型システムとしており、システムの施設を容易に行い、かつ保守・点検コストを低減でき、安定した運用を行うことができる。
【００１６】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１７】
本発明の実施の形態に係る中継器接続型システムは、光信号伝送を行う親局と複数の子局との間に中継器を設け、親局が、特定子局の状態を監視する監視情報を当該子局に送信し、子局が、親局からの監視情報に対して当該子局の状態を示す子局状態情報を中継器に送信し、中継器が、子局から受信した子局状態情報とその中継器の状態を示す中継器状態情報とを合成して親局に送信し、そして親局が子局と中継器の状態を監視するものである。
【００１８】
これにより、光ケーブル施設を容易にし、更に保守・点検コストを低減し、安定した運用を行うことができる。
【００１９】
尚、請求項における親局制御手段が図２のマイコン２１に相当し、子局制御手段がマイコン３１に、中継器制御手段がマイクロコンピュータ１１に、光信号分配手段が光信号分配器に、信号合成手段が信号合成器に相当し、親局、子局又は中継器にそれぞれ装備されている電気／光信号変換手段はＥ／Ｏ変換器に、光／電気信号変換手段はＯ／Ｅ変換器に相当する。
【００２０】
本発明の実施の形態に係る中継器接続型システムを図１を用いて説明する。図１は、本発明の実施の形態に係る中継器接続型システムの構成ブロック図である。尚、図４、図５と同様の構成をとる部分については同一の符号を付して説明する。
本実施の形態に係る中継器接続型システム（本システム）は、図１に示すように、ＲＦ基地局（ＢＴＳ）１と、親局（Ｍ／Ｕ）２と、中継器（ＨＵＢ）１０と、複数の子局（Ｓ／Ｕ）３とから構成されている。
ＢＴＳ１とＭ／Ｕ２とが２本の同軸ケーブルで結ばれているのは従来のスター接続型システムと同じであるが、Ｍ／Ｕ２と各Ｓ／Ｕ３との間にはＨＵＢ１０が設けられ、Ｍ／Ｕ２、各Ｓ／Ｕ３がＨＵＢ１０とそれぞれ２本の光ケーブルで結ばれている点が従来と異なる。
【００２１】
本システムにおいても、各装置の運用状態を管理し、またはＳ／Ｕ３を制御するために光伝送路を使用してＭ／Ｕ２とＳ／Ｕ３の間で状態監視のための親子通信が行われる。
本システムにおける親子通信でもポーリング方式が用いられているが、Ｍ／Ｕ２から特定のＳ／Ｕ３に対して監視制御命令を送信し、特定のＳ／Ｕ３から監視結果情報を受信する際に、ＨＵＢ１０の監視結果情報も得られることを特徴としている。
【００２２】
次に、本システムにおいて親子通信を実現するＭ／Ｕ２、Ｓ／Ｕ３及びＨＵＢ１０の構成を図２を用いて説明する。図２は、本システムにおける親子通信を実現するＭ／Ｕ２、Ｓ／Ｕ３及びＨＵＢ１０の構成ブロック図である。
Ｍ／Ｕ２には、親子通信の制御を司るマイコン２１、マイコン２１から出力された電気信号を下り光信号に変換するＥ／Ｏ変換器２２と、ＨＵＢ１０から送信された上り光信号を電気信号に変換するＯ／Ｅ変換器２３とが装備されている。
図２において、Ｏ／Ｅ変換器２３で変換された電気信号はマイコン２１に出力され、マイコン２１から出力された電気信号はＥ／Ｏ変換器２２に送信される。
【００２３】
ＨＵＢ１０に装備されている機器は機能上、上り光信号と下り光信号を制御する部分にそれぞれ分類できる。
上り光信号制御部分は、ＨＵＢ１０の動作状況を監視し、中継器状態情報を出力するマイコン１１と、各Ｓ／Ｕ３から送信された下り光信号を電気信号に変換する複数のＯ／Ｅ変換器１３と、各々のＥ／Ｏ変換器１３において変換された電気信号を合成する信号合成器１４と、マイコン１１から出力された電気信号を上り光信号に変換するＥ／Ｏ変換器１５から構成される。
光信号合成器１４で合成された電気信号はマイコン１１に出力され、マイコン１１から出力された電気信号はＥ／Ｏ変換器１５に送信される。
【００２４】
下り光信号制御部分は、Ｍ／Ｕ２から送信された下り光信号を各Ｓ／Ｕ３に分配する光信号分配器１２で構成される。つまり、ＨＵＢ１０では下り光信号は電気信号に変換されることなく各Ｓ／Ｕ３に送信される。
尚、各Ｓ／Ｕ３に装備されている機器は、従来のスター接続型システムの場合と同一であるため説明は省略する。
【００２５】
次に、図２を用いて、本システムのポーリング方式による親子通信の動作について説明する。
Ｍ／Ｕ２は、各Ｓ／Ｕ３に対して行う監視制御命令をマイコン２１において設定し、電気信号としてＥ／Ｏ変換器２２に出力する。
Ｅ／Ｏ変換器２２では、監視制御命令の信号が光信号に変換され、光ケーブルを通ってＨＵＢ１０に送信される。
ＨＵＢ１０では、監視制御命令の信号が下り光信号制御部分の光信号分配器１２に送信され、光ケーブルを通って各Ｓ／Ｕ３に分配される。
Ｓ／Ｕ３では、監視制御命令の信号がまずＯ／Ｅ変換器３２によって電気信号に変換され、マイコン３１に出力される。
【００２６】
マイコン３１は、入力した監視制御命令に基づいて、Ｓ／Ｕ３の状態を監視し、その監視結果である子局状態情報を電気信号としてＥ／Ｏ変換器３３に出力する。
子局状態情報は、Ｅ／Ｏ変換器３３において光信号に変換され、光ケーブルを通ってＨＵＢ１０に送信される。
【００２７】
ＨＵＢ１０では、子局状態情報が上り光信号制御部分に送信され、まずＯ／Ｅ変換器１３によって電気信号に変換され、他のＳ／Ｕ３から送信された子局状態情報と共に信号合成器１４によって合成され、マイコン１１に出力される。
マイコン１１は、子局状態情報を入力すると、中継器（ＨＵＢ）１０の動作状況を監視し、その監視結果である中継器状態情報を子局状態情報に加えてＥ／Ｏ変換器１５に出力する。
ここで、中継器状態情報には、中継器から送信されたものと判別できるよう、ＨＵＢ１０を識別する情報が含まれている。
ＨＵＢ１０の中継器状態情報を含んだ子局状態情報は、Ｅ／Ｏ変換器１５によって光信号に変換され、光ケーブルを通ってＭ／Ｕ２に送信される。
【００２８】
Ｍ／Ｕ２では、中継器状態情報を含んだ子局状態情報がＯ／Ｅ変換器２３によって電気信号に変換され、マイコン２１に出力される。
マイコン２１は、入力した子局状態情報及び中継器状態情報を基に、各Ｓ／Ｕ３及び中継器１０の運用状況や故障の有無を確認する。以上が本システムの親子通信の動作である。
【００２９】
本システムによれば、Ｍ／Ｕ２と各Ｓ／Ｕ３との間に各Ｓ／Ｕ３の監視結果情報を合成してＭ／Ｕ２に送信するＨＵＢ１０を設けたことにより、光ケーブル施設の労力及び費用を低減できる効果がある。特にＭ／Ｕ２と各Ｓ／Ｕ３との間が遠距離である場合、効果は顕著である。
【００３０】
また、ＨＵＢ１０で各Ｓ／Ｕ３の状態情報を合成する際に、ＨＵＢ１０の状態情報をも加えて合成することにより、Ｓ／Ｕ３の状態監視と同時にＨＵＢ１０の状態監視を行うことができるため、Ｍ／Ｕ２からの監視制御命令の送信回数を低減でき、結果として送信費用を低減でき、Ｓ／Ｕ３及びＨＵＢ１０の保守・点検を効率的に行うことができ、かつ安定した運用を行うことができ効果がある。
【００３１】
【実施例】
次に、本システムの具体的実施例に関する構成及び動作を図３を用いて説明する。図３は、本システムの具体的一実施例の構成ブロック図である。尚、図１又は図２と同様の構成をとる部分については同一の符号を付して説明を省略する。
本実施例は、図３に示すように、ＢＴＳ１と、Ｍ／Ｕ２と、Ｓ／Ｕ３と、ＨＵＢ１０と、運用状態監視／制御装置（モニター器）５とから構成されている。
【００３２】
本実施例では、無線周波数通信と各Ｓ／Ｕ３の運用状態監視通信を共に図３のブロック図で示される回路を用いて行っている。
無線周波数通信の質を向上するために、Ｍ／Ｕ２、Ｓ／Ｕ３又はＨＵＢ１０の電気信号の入口部分には、電気信号を増幅する信号増幅器（ＡＭＰ）と、増幅した信号を一定のレベルに保つ信号減衰器（ＡＴＴ）が設けられている。
【００３３】
ＨＵＢ１０の下り光信号制御部分では光信号分配器１４で光信号を各Ｓ／Ｕ３に分配するだけであり、電気信号が送信されないので、ＡＭＰ及びＡＴＴは設けられていない。また、各Ｓ／Ｕ３に設定されているアンテナ３６及び３７はそれぞれ、無線子機への無線周波数送信用アンテナ、無線子機からの無線周波数受信用アンテナである。
【００３４】
次に、図３を用いて、本実施例の無線周波数通信の動作について説明する。
ＢＴＳ１から特定の無線子機に対して無線周波数信号を送信する際に、ＢＴＳ１は無線周波数信号を同軸ケーブルを通して電気信号としてＭ／Ｕ２に送信する。
ここで、無線周波数信号には、送信先である特定の子機の情報が含まれている。
Ｍ／Ｕ２では、無線周波数信号はまずＡＭＰ２６で増幅され、ＡＴＴ２７で一定レベルに調整した後、Ｅ／Ｏ変換器２２に出力される。さらにＥ／Ｏ変換器２２において無線周波数信号は光信号に変換され、光ケーブルを通ってＨＵＢ１０に送信される。
【００３５】
ＨＵＢ１０では、無線周波数信号は光信号分配器１２によって光ケーブルを通って各Ｓ／Ｕ３に分配される。
Ｓ／Ｕ３では、無線周波数信号はまずＯ／Ｅ変換器３２によって電気信号に変換され、ＡＭＰ３４で増幅され、ＡＴＴ３５で一定レベルに調整された後に、アンテナ３６を通して特定の無線子機に送信される。
【００３６】
無線子機から無線周波数信号が発信された際には、無線周波数信号は複数あるうちのいずれかのＳ／Ｕ３のアンテナ３７で受信される。
さらに、無線周波数信号は受信したＳ／Ｕ３のＡＭＰ３８で増幅され、ＡＴＴ３９で一定レベルに調整された後に、Ｅ／Ｏ変換器３３によって光信号に変換され、光ケーブルを通ってＭ／Ｕ２に送信される。
【００３７】
ＨＵＢ１０では、無線周波数信号はまずＯ／Ｅ変換器１３によって電気信号に変換され、ＡＭＰ１６で増幅され、ＡＴＴ１７で一定レベルに調整された後、信号合成器１４によって他のＳ／Ｕ３から送信された無線周波数信号と合成される。
合成された無線周波数信号は、Ｅ／Ｏ変換器１５で光信号に変換され、光ケーブルを通ってＭ／Ｕ２に送信される。
【００３８】
Ｍ／Ｕ２では、無線周波数信号はＯ／Ｅ変換器２３で電気信号に変換され、ＡＭＰ２８で増幅され、ＡＴＴ２９で一定レベルに調整された後、同軸ケーブルを通ってＢＴＳ１へ送信される。
ＢＴＳ１では、受信した無線周波数信号を送信先の基地局に送信する。
以上が本実施例の無線周波数通信の動作である。
【００３９】
本実施例での親子通信の動作は、Ｍ／Ｕ２、Ｓ／Ｕ３又はＨＵＢ１０への電気信号の入口部分でＡＭＰ及びＡＴＴによる電気信号の増幅及びレベルの調整が行われる以外は図２に示した本システムの場合と同様であるので詳細な説明は省略する。
また、Ｍ／Ｕ２にシリアルＩ／Ｆによって接続しているモニター器５によって、監視制御命令の条件の変更及びＭ／Ｕ２に送信された各Ｓ／Ｕ３及びＨＵＢ１０の状態情報の確認を行うようにさせることが可能である。
【００４０】
各Ｓ／Ｕ３又はＨＵＢ１０に装備されているマイコン３１，１１は、それぞれが安定した状態で動作するために、各Ｓ／Ｕ３又は中継器１０における電気信号の入力及び出力レベルや、温度をセンサ（図示せず）等によって計測し、これらの計測値を監視しており、計測値に基づいてＡＴＴによる信号の減衰の制御を行っている。
各Ｓ／Ｕ３又は中継器１０での計測値が一定範囲を超え、運用に支障をきたすと判断した場合、マイコン３１，１１はＭ／Ｕ２へ送信する状態情報に警告の情報を加え注意を促すか、各Ｓ／Ｕ３又はＨＵＢ１０の動作を停止する。
【００４１】
本実施例によれば、無線周波数通信と親子通信を行う機器が共通であるため、図１〜図２に示した発明の効果に加え、各機器の開発の労力、期間及び費用を低減できる効果がある。
【００４２】
【発明の効果】
本発明によれば、光信号伝送を行う親局と複数の子局との間に中継器を設け、その中継局で各子局の状態情報を合成すると共に中継局の状態情報をも加えて親局に送信し、親局で各子局及び中継器の状態情報を監視するた中継器通信システムとしているので、光ケーブルの施設を容易に行え、費用を低減できる効果があり、更に、子局の状態情報と中継局の状態情報とが合成されて送信されるため、光信号伝送の通信回数を低減でき、中継器通信システムの保守・点検を効率的に行うことができ、かつ安定した運用を行うことができる効果がある。
【図面の簡単な説明】
【図１】本発明の実施の形態に係る中継器接続型システムの構成ブロック図である。
【図２】本システムにおける親子通信を実現する親局と子局の構成ブロック図である。
【図３】本システムの具体的一実施例の構成ブロック図である。
【図４】従来のスター接続型システムの構成ブロック図である。
【図５】従来の親子通信を実現するための親局と子局の構成ブロック図である。
【符号の説明】
１…ＲＦ基地局（ＢＴＳ）、  ２…ＲＦ親局（Ｍ／Ｕ）、  ３…ＲＦ子局（Ｓ／Ｕ）、  ４…光スターカプラ、  ５…運用状態監視／制御装置、  １０…中継器（ＨＵＢ）、  １１，２１，３１…マイコン、  １２…光信号分配器、  １３，２３，３２…光／電気信号変換器、  １４，２５…信号合成器、  １５，２２，３３…電気／光信号変換器、  １６，２６，２８，３４，３８…信号増幅器、１７，２７，２９，３５，３９…信号減衰器、  ２４…信号分配器、  ３６…ＲＦ信号送信アンテナ、  ３７…ＲＦ信号受信アンテナ
【図１】
0004149629.tif 000002
【図２】
0004149629.tif 000003
【図３】
0004149629.tif 000004
【図４】
0004149629.tif 000005
【図５】
0004149629.tif 000006